(57)【要約】複数のＴＳが存在する場合でも、１台のリピータでＴＳパケット送出を行なうことができるＳＩ情報送出装置を提供する。そのために、全ＴＳに対するＳＩ情報の伝送ＴＳパケットのパリティ部にＴＳ−ＩＤとその情報が自ＴＳに対するものか他ＴＳに対するものかを示す情報を付加して送出するリピータを有し、各ＴＳ用のＭＵＸの前段で、当該ＴＳで送出すべきＴＳパケット情報を前記情報を元に抽出しＭＵＸへ送出するフィルタを有するＳＩ情報送出装置である。かかる構成により、１台のリピータで複数のＴＳのＳＩ情報を扱うことができるものである。
2003043238.tif 000002
【特許請求の範囲】
【請求項１】
デジタル放送システムで、複数のトランスポートストリーム（ＴＳ）に対するＳＩ情報を送出するＳＩ情報送出装置において、
全ＴＳのＳＩ情報を生成するＳＩ生成手段と、
全ＴＳに対するＳＩ情報の伝送ＴＳパケットを生成するとともに、このＴＳパケットのパリティ部にＴＳを認識するＴＳ−ＩＤとその情報が自ＴＳに対するもの（Ａｃｔｕａｌ）か、他ＴＳに対するもの（Ｏｔｈｅｒ）かを示す属性情報を付加して送出するＴＳパケット送出手段と、
各ＴＳ用の多重化装置の前段に設けられ、それぞれのＴＳで送出すべきＴＳパケットを前記属性情報を基に抽出し多重化装置へ送出するフィルタとを有することを特徴とするＳＩ情報送出装置。
【請求項２】
前記フィルタは、ＴＳ−ＩＤが自ＴＳに一致し、且つ前記属性情報が”Ａｃｔｕａｌ”あるＴＳパケットと、ＴＳ−ＩＤが他ＴＳ−ＩＤのものであり、且つ前記属性情報が”Ｏｔｈｅｒ”であるＴＳパケットとを抽出することを特徴とする請求項１記載のＳＩ情報送出装置。
【請求項３】
ＴＳパケット送出手段は、自ＴＳに対するＳＩ情報と、他のＴＳに対するＳＩ情報の情報量（ＴＳパケット数）と、各情報の送出周期とから、それぞれの周期に渡って均等にこれらの情報を送るのに必要な基本周期の間に送出すべき各情報量を計算し、その基本周期内に、その計算した量の各情報を送出することを特徴とする請求項１記載のＳＩ情報送出装置。
【請求項４】
ＴＳパケット送出手段は、基本周期の間に送出すべき各情報量を計算するに当たって、
送出情報量＝ＴＳパケット数／各情報の送出周期×基本周期
の計算を行なうことを特徴とする請求項３記載のＳＩ情報送出装置。
【請求項５】
ＴＳパケット送出手段は、１つのＴＳの自ＴＳに対する情報または他のＴＳに対する情報が複数存在する場合に、同一のＴＳに関する情報が連続して送出されないように、各ＴＳに関する情報量を平滑化して順次抽出して送出するリピータを有することを特徴とする請求項３記載のＳＩ情報送出装置。
【請求項６】
ＴＳパケット送出手段は、各ＴＳに関する情報量を平滑化して順次抽出するために、前記ＴＳに関する情報を、
そのＴＳの情報量／全ＴＳの情報量の割合で順次抽出して送出することを特徴とする請求項５記載のＳＩ情報送出装置。
【発明の詳細な説明】
技術分野
本発明は、デジタル放送において、複数のトランスポートストリーム（Ｔｒａｎｓｐｏｒｔ  Ｓｔｒｅａｍ：以下ＴＳという）に関するＳＩ（Ｓｅｒｖｉｃｅ  Ｉｎｆｏｒｍａｔｉｏｎ：以下ＳＩという）情報（ＩＳＯ  １３８１８参照）を送出するＳＩ情報送出装置に関するものである。
発明の背景
デジタル放送において、複数のＴＳに関するＳＩ情報を送出する際は、図１に示すようにＳＩ生成で全ＴＳ用のＳＩ情報をセクションとして生成し、各ＴＳ用のリピータに転送し、各リピータで各ＴＳで送出すべきＳＩ情報をＴＳパケット化して、各ＳＩ情報の送出周期に従い多重化装置（以下ＭＵＸという）へ送出し、各ＭＵＸでは、映像情報とＳＩ情報を多重化していた（公開特許公報平成１１年２５２５１６号参照）。
ＴＳ１でサービス１が放送され、ＴＳ２でサービス２が放送される場合、ＳＩ生成で各サービスの自ＴＳ用のデータＥＩＴ１（Ａ）、ＥＩＴ２（Ａ）と、他ＴＳ用のデータＥＩＴ１（Ｏ）、ＥＩＴ２（Ｏ）を生成し、ＥＩＴ１（Ａ）とＥＩＴ２（Ｏ）をＴＳ１用のリピータ経由で、ＴＳ１用のＭＵＸでサービス１のＡＶ情報とに送出する。またＥＩＴ２（Ａ）とＥＩＴ１（Ｏ）をＴＳ２用のリピータ経由で、ＴＳ２用のＭＵＸでサービス２のＡＶ情報と共に送出する。なお、各リピータからは所定の帯域内でＳＩ情報が送出される。
しかしながら、上記のようなＳＩ情報送出装置では、ＴＳの数分のリピータを設ける必要があった。
発明の開示
本発明の目的は、ＴＳの数には関係なく、１台のリピータで構成することができ、かつ、各ＴＳのＭＵＸには所定の転送レートでＴＳパケットを送出することができるＳＩ情報送出装置を提供することである。
本発明のＳＩ情報送出装置は、上記の課題を解決するために、第１に、ＳＩ情報生成手段と、全ＴＳに対するＳＩ情報の伝送ＴＳパケットのパリティ部にＴＳ−ＩＤとその情報が自ＴＳに対するもの（以下Ａｃｔｕａｌ情報という）か他ＴＳに対するもの（以下Ｏｔｈｅｒ情報という）かを示す属性情報を付加して送出するＴＳパケット送出手段（リピータ）と、各ＴＳ用のＭＵＸの前段で、当該ＴＳで送出すべきＴＳパケット情報を前記属性情報を元に抽出しＭＵＸへ送出するフィルタとを有している。上記パリティ部とは、リードソロモン用のパリティ部であり、通常はＭＵＸにおいてデータが付加される情報格納部である（標準規格ＡＲＩＢ  ＳＴＤ−Ｂ３１参照）。これにより、１台のＴＳパケット送出手段で複数のＴＳのＳＩ情報を扱うことができるものである。
前記フィルタは、ＴＳ−ＩＤが自ＴＳ−ＩＤに一致し、且つ前記属性情報が”Ａｃｔｕａｌ”であるＴＳパケットと、ＴＳ−ＩＤが他ＴＳ−ＩＤのものであり、且つ前記属性情報が”Ｏｔｈｅｒ”であるＴＳパケットとを抽出する。
第２に、ＴＳパケット送出手段は、自ＴＳに対する（Ａｃｔｕａｌ）情報と他のＴＳに対する情報（Ｏｔｈｅｒ）の情報量（ＴＳパケット数）と、各情報の送出周期から基本周期の間に送出すべき各情報量を計算し、その基本周期内に、その計算した量の各情報を送出することを特徴とする。上記計算の例としては、
送出情報量＝ＴＳパケット数／各情報の送出周期×基本周期
の計算がある。
上記基本周期内に、ＴＳパケット送出手段（リピータ）がその計算した各情報量を送出することにより、Ａｃｔｕａｌ情報とＯｔｈｅｒ情報を均等に送出することができ各ＴＳのＭＵＸに所定の転送レートでＴＳパケットを送出することができるという有利な効果が得られる。
第３に、１つのＴＳに対するＡｃｔｕａｌ情報またはＯｔｈｅｒ情報が複数存在する場合に、同一のＴＳに関する情報が連続して送出されないように、各ＴＳに関する情報量を平滑化して順次抽出して送出するリピータを有している。そのリピータは、例えば各ＴＳに関する情報から「そのＴＳの情報量／全ＴＳの情報量」の割合で順次抽出して送出し、同一のＴＳに対するＡｃｔｕａｌ情報またはＯｔｈｅｒ情報が複数存在する場合でもＴＳ毎に情報が分散されるため、各ＴＳのＭＵＸに所定の転送レートでＴＳパケットを送出することができるという有利な効果が得られる。
発明を実施するための最良の形態
以下、本発明に係るＳＩ情報送出装置の一実施の形態について、図面を参照して詳細に説明する。なお、本発明は、これら実施の形態に何等限定されるものではなく、その要旨を逸脱しない範囲においては種々なる態様で実施し得る。
図２は、本発明の実施の形態に係るＳＩ情報作成装置の構成を示すブロック図である。図２において、１０１は全ＴＳのＳＩ情報を生成するＳＩ生成手段である。１０２はＳＩ情報をＴＳパケット化してリピート送信するＴＳパケット送出手段としてのリピータである。１０３はリピータから送出されたＴＳパケットを各ＴＳ用のＭＵＸへ分配するＴＳ分配器、１０４はＴＳ分配器１０３から送られてきたＴＳパケットから自ＴＳで送出すべきＴＳパケットを抽出してＭＵＸへ転送するＡ／Ｏフィルタである。１０５はＳＩ情報とＡＶ情報を多重化して送出するＭＵＸである。
図３は、Ａｃｔｕａｌ情報とＯｔｈｅｒ情報を均等に送出するための説明図である。
図４は、同一のＴＳに対するＡｃｔｕａｌ情報またはＯｔｈｅｒ情報が複数存在する場合でもＴＳ毎に情報が分散して均一に送出するための説明図である。
なお、ＭＵＸから先の網はデジタル衛星放送、デジタルＣＡＴＶおよびデジタル地上波など何等限定されるものでない。
以上のように構成された本実施の形態のＳＩ情報送出装置の動作を以下に説明する。まず、ＳＩ生成手段１０１が全ＴＳ用のＳＩ情報（図２の場合はＴＳ１に属するサービス１のＡｃｔｕａｌ情報ＥＩＴ１（Ａ）、Ｏｔｈｅｒ情報ＥＩＴ１（Ｏ）と、ＴＳ２に属するサービス２のＡｃｔｕａｌ情報ＥＩＴ２（Ａ）、Ｏｔｈｅｒ情報ＥＩＴ２（Ｏ））のセクションを生成しリピータ１０２へ登録する。リピータ１０２は、登録されたＳＩ情報にＴＳ−ＩＤとその情報が自ＴＳに対するものかどうかを示す情報を伝送ＴＳパケットのパリティ部（リードソロモン用のパリティ部、通常はＭＵＸで付加される情報。標準規格ＡＲＩＢ  ＳＴＤ−Ｂ  ３１参照）に付加してパケット化する。そのパケット化した情報はリピータ１０２からＴＳ分配器１０３へ転送される。パケット化された情報を受け取ったＴＳ分配器１０３は、ストリームを複製して各ＴＳのＡ／Ｏフィルタ１０４へ分配する。
Ａ／Ｏフィルタ１０４は、Ａｃｔｕａｌ情報のうち伝送ＴＳパケットのパリティ部のＴＳ−ＩＤが当該ＴＳのＴＳパケット及びＯｔｈｅｒ情報のうちＴＳ−ＩＤが当該ＴＳ以外のＴＳパケットを選択してＭＵＸ１０５へ転送する。ＭＵＸ１０５はＡＶに関するＴＳパケットとＡ／Ｏフィルタ１０４から送られてくるＳＩ情報に関するＴＳパケットを多重化して送出する。
なお、Ａ／Ｏフィルタ１０４をＭＵＸ１０５に含む構成とすることも可能である。
リピータは、各ＴＳパケットを送出する際に図３に示すようにＡｃｔｕａｌ情報及びＯｔｈｅｒ情報それぞれのデータ量（ＴＳパケット数）と各情報の周期から、それぞれの周期に渡って均等にこれらの情報を送るのに必要な基本周期（各情報の周期より短い周期）の間に送出すべきデータ量を計算（例えば、ＴＳパケット数／各情報の送出周期×基本周期を計算）して、その基本周期毎にＡｃｔｕａｌ情報及びＯｔｈｅｒ情報をそれぞれ送る。なお、情報量が少ない場合は、それぞれの周期に渡って均等にこれらの情報を送るので、ある基本周期で送るべきデータがないこともある。
たとえば、Ａｃｔｕａｌ情報のＴＳパケット数が２００、Ａｃｔｕａｌ情報の周期が５秒、Ｏｔｈｅｒ情報のＴＳパケット数が１００、Ｏｔｈｅｒ情報の周期が１０秒、基本周期が０．１秒の場合は１基本周期にＡｃｔｕａｌ情報を４パケット（２００／５＊０．１）、Ｏｔｈｅｒ情報を１パケット（１００／１０＊０．１）送出する。
またリピータは、各ＴＳパケットを送出する際に図４に示すように１つのＴＳに対するＡｃｔｕａｌ情報またはＯｔｈｅｒ情報が複数存在する場合に、同一のＴＳに関する情報が連続して送出されないように、各ＴＳに関する情報を平滑化して（例えば、各ＴＳに関する情報を「そのＴＳの情報量／全ＴＳの情報量」の割合で）順次抽出して送出する。
なお、本構成でＡ／Ｏフィルタから各ＴＳのＭＵＸに、十分平滑化されたＳＩのＴＳパケットを、設定されたＳＩの伝送レートにおいて入力することが可能であるが、必要に応じてＡ／ＯフィルタとＭＵＸの間に、ＴＳパケットの伝送レートをミクロに見てもさらに平滑化するような、平滑化バッファを設けても良い。
以上のように、本実施の形態では、１台のリピータで複数のＴＳのＳＩ情報を送出することができ、かつ、各ＴＳのＭＵＸに対して所定の伝送レートで送ることができる。
本発明は、図面に示す好ましい実施の形態に基づいて説明されてきたが、当業者であれば、本発明の思想を逸脱することなく容易に各種の変更、改変し得ることは明らかである。本発明はそのような変更例も含むものである。
【図面の簡単な説明】
【図１】
従来例におけるＳＩ情報送出装置の構成を示すブロック図
【図２】
本発明の一実施の形態におけるＳＩ情報送出装置の構成を示すブロック図
【図３】
前記実施の形態において、Ａｃｔｕａｌ情報とＯｔｈｅｒ情報を均等に送出するための説明図
【図４】
前記実施の形態において、同一のＴＳに対する情報が複数存在する場合でもＴＳ毎に情報が分散して均一に送出するための説明図
【図１】
2003043238.tif 000003
【図２】
2003043238.tif 000004
【図３】
2003043238.tif 000005
【図４】
2003043238.tif 000006
【国際調査報告】
2003043238.tif 000007
2003043238.tif 000008
2003043238.tif 000009